【手続補正書】
【提出日】平成27年3月17日(2015.3.17)
【手続補正１】
【補正対象書類名】特許請求の範囲
【補正対象項目名】全文
【補正方法】変更
【補正の内容】
【特許請求の範囲】
【請求項１】
支持体、該支持体上に形成された樹脂および金属酸化物粒子を含有する下引き層、および該下引き層上に形成された感光層を有する電子写真感光体において、
該下引き層は、該下引き層をヘッドスペース法によって１５０℃で６０分間加熱したときに、ガスクロマトグラフによってアゾール化合物が検出される層であり、
ガスクロマトグラフによって該下引き層から検出される該アゾール化合物の検出量（ｇ）を該下引き層の体積（ｃｍ３）で除した値をＡ（ｇ／ｃｍ３）とし、該下引き層における該金属酸化物粒子の含有量（ｇ）を該下引き層の体積（ｃｍ３）で除した値をＢ（ｇ／ｃｍ３）としたとき、
ＡおよびＢが、下記式（５）を満たし、
５．０×１０−７≦Ａ／Ｂ≦１．５×１０−２・・・（５）
該アゾール化合物は、下記式（１）で示される化合物、下記式（２）で示される化合物、下記式（３）で示される化合物および下記式（４）で示される化合物からなる群より選択される少なくとも１種のアゾール化合物である
ことを特徴とする電子写真感光体。
【化１】
2014010320.tif 000001
（式（１）〜（４）中、Ｒ１〜Ｒ４、Ｒ１１〜Ｒ１３、Ｒ２１〜Ｒ２３およびＲ３１〜Ｒ３４は、それぞれ独立に、水素原子、または炭素数１から３のアルキル基を示す。）
【請求項２】
前記下引き層が、下記（ｉ）または（ｉｉ）の層である請求項１に記載の電子写真感光体。
（ｉ）イソシアネート化合物およびポリオール樹脂の重合物、アゾール化合物、ならびに金属酸化物粒子を含有する層、
（ｉｉ）アゾール化合物でイソシアネート基がブロック化されたブロック化イソシアネート化合物およびポリオール樹脂の重合物、ならびに金属酸化物粒子を含有する層。
【請求項３】
前記アゾール化合物が、前記式（１）で示される化合物、前記式（２）で示される化合物および前記式（３）で示される化合物からなる群より選択される少なくとも１種のアゾール化合物である請求項１または２に記載の電子写真感光体。
【請求項４】
前記アゾール化合物が、前記式（１）で示される化合物である請求項３に記載の電子写真感光体。
【請求項５】
前記金属酸化物粒子が、酸化スズ、酸化亜鉛および酸化チタンからなる群より選択される少なくとも１種の金属酸化物を含有する粒子である請求項１から４のいずれか１項に記載の電子写真感光体。
【請求項６】
請求項１から５のいずれか１項に記載の電子写真感光体と、帯電手段、現像手段、転写手段およびクリーニング手段からなる群より選ばれる少なくとも１つの手段とを一体に支持し、電子写真装置本体に着脱自在であることを特徴とするプロセスカートリッジ。
【請求項７】
請求項１から５のいずれか１項に記載の電子写真感光体と、帯電手段、露光手段、現像手段、および転写手段を有することを特徴とする電子写真装置。
【請求項８】
支持体、該支持体上に形成された下引き層、および該下引き層上に形成された感光層を有する電子写真感光体を製造する電子写真感光体の製造方法において、
該製造方法が、金属酸化物粒子、イソシアネート化合物、ポリオール樹脂、およびアゾール化合物を含有する下引き層用塗布液の塗膜を形成する工程、および、該塗膜を加熱乾燥させることによって前記下引き層を形成する工程を有し、
該アゾール化合物が、下記式（１）で示される化合物、下記式（２）で示される化合物、下記式（３）で示される化合物および下記式（４）で示される化合物からなる群より選択される少なくとも１種のアゾール化合物であり、
該下引き層をヘッドスペース法によって１５０℃で６０分間加熱したときに、ガスクロマトグラフによって該下引き層から検出される該アゾール化合物の検出量（ｇ）を該下引き層の体積（ｃｍ３）で除した値をＡ（ｇ／ｃｍ３）とし、該下引き層における該金属酸化物粒子の含有量（ｇ）を該下引き層の体積（ｃｍ３）で除した値をＢ（ｇ／ｃｍ３）としたとき、
ＡおよびＢが、下記式（５）
５．０×１０−７≦Ａ／Ｂ≦１．５×１０−２・・・（５）
を満たすことを特徴とする電子写真感光体の製造方法。
【化２】
2014010320.tif 000002
（式（１）〜（４）中、Ｒ１〜Ｒ４、Ｒ１１〜Ｒ１３、Ｒ２１〜Ｒ２３およびＲ３１〜Ｒ３４は、それぞれ独立に、水素原子、または炭素数１から３のアルキル基を示す。）
【請求項９】
支持体、該支持体上に形成された下引き層、および該下引き層上に形成された感光層を有する電子写真感光体を製造する電子写真感光体の製造方法において、
該製造方法が、金属酸化物粒子、アゾール化合物でイソシアネート基がブロック化されたブロック化イソシアネート化合物、およびポリオール樹脂を含有する下引き層用塗布液の塗膜を形成する工程、および、該塗膜を加熱乾燥させることによって前記下引き層を形成する工程を有し、
該アゾール化合物が、下記式（１）で示される化合物、下記式（２）で示される化合物、下記式（３）で示される化合物および下記式（４）で示される化合物からなる群より選択される少なくとも１種のアゾール化合物であり、
該下引き層をヘッドスペース法によって１５０℃で６０分間加熱したときに、ガスクロマトグラフによって該下引き層から検出される該アゾール化合物の検出量（ｇ）を該下引き層の体積（ｃｍ３）で除した値をＡ（ｇ／ｃｍ３）とし、該下引き層における該金属酸化物粒子の含有量（ｇ）を該下引き層の体積（ｃｍ３）で除した値をＢ（ｇ／ｃｍ３）としたとき、
ＡおよびＢが、下記式（５）
５．０×１０−７≦Ａ／Ｂ≦１．５×１０−２・・・（５）
を満たすことを特徴とする電子写真感光体の製造方法。
【化３】
2014010320.tif 000003
（式（１）〜（４）中、Ｒ１〜Ｒ４、Ｒ１１〜Ｒ１３、Ｒ２１〜Ｒ２３およびＲ３１〜Ｒ３４は、それぞれ独立に、水素原子、または炭素数１から３のアルキル基を示す。）
【請求項１０】
前記アゾール化合物が、前記式（１）で示される化合物、前記式（２）で示される化合物および前記式（３）で示される化合物からなる群より選択される少なくとも１種のアゾール化合物である請求項８または９に記載の電子写真感光体の製造方法。
【請求項１１】
前記アゾール化合物が、前記式（１）で示される化合物である請求項１０に記載の電子写真感光体の製造方法。
【請求項１２】
前記金属酸化物粒子が、酸化スズ、酸化亜鉛および酸化チタンからなる群より選択される少なくとも１種の金属酸化物を含有する粒子である請求項８から１１のいずれか１項に記載の電子写真感光体の製造方法。
【手続補正２】
【補正対象書類名】明細書
【補正対象項目名】０００８
【補正方法】変更
【補正の内容】
【０００８】
本発明は、支持体、該支持体上に形成された樹脂および金属酸化物粒子を含有する下引き層、および前記下引き層上に形成された感光層を有する電子写真感光体において、
該下引き層は、該下引き層をヘッドスペース法によって１５０℃で６０分間加熱したときに、ガスクロマトグラフによってアゾール化合物が検出される層であり、
ガスクロマトグラフによって該下引き層から検出される該アゾール化合物の検出量（ｇ）を該下引き層の体積（ｃｍ３）で除した値をＡ（ｇ／ｃｍ３）とし、該下引き層における該金属酸化物粒子の含有量（ｇ）を該下引き層の体積（ｃｍ３）で除した値をＢ（ｇ／ｃｍ３）としたとき、
ＡおよびＢが、下記式（５）を満たし、
５．０×１０−７≦Ａ／Ｂ≦１．５×１０−２・・・（５）
該アゾール化合物は、下記式（１）で示される化合物、下記式（２）で示される化合物、下記式（３）で示される化合物および下記式（４）で示される化合物からなる群より選択される少なくとも１種のアゾール化合物である
ことを特徴とする電子写真感光体に関する。
【手続補正３】
【補正対象書類名】明細書
【補正対象項目名】００１３
【補正方法】変更
【補正の内容】
【００１３】
また、本発明は、支持体、該支持体上に形成された下引き層、および該下引き層上に形成された感光層を有する電子写真感光体を製造する電子写真感光体の製造方法において、該製造方法が、金属酸化物粒子、イソシアネート化合物、ポリオール樹脂、およびアゾール化合物を含有する下引き層用塗布液の塗膜を形成する工程、および、該塗膜を加熱乾燥させることによって前記下引き層を形成する工程を有し、
該アゾール化合物が、下記式（１）で示される化合物、下記式（２）で示される化合物、下記式（３）で示される化合物および下記式（４）で示される化合物からなる群より選択される少なくとも１種のアゾール化合物であり、
上記Ａおよび上記Ｂが、上記式（５）を満たすことを特徴とする電子写真感光体の製造方法に関する。
【手続補正４】
【補正対象書類名】明細書
【補正対象項目名】００１５
【補正方法】変更
【補正の内容】
【００１５】
（式（１）〜（４）中、Ｒ１〜Ｒ４、Ｒ１１〜Ｒ１３、Ｒ２１〜Ｒ２３およびＲ３１〜Ｒ３４は、それぞれ独立に、水素原子、または炭素数１から３のアルキル基を示す。）
また、本発明は、支持体、該支持体上に形成された下引き層、および該下引き層上に形成された感光層を有する電子写真感光体を製造する電子写真感光体の製造方法において、該製造方法が、金属酸化物粒子、アゾール化合物でイソシアネート基がブロック化されたブロック化イソシアネート化合物、およびポリオール樹脂を含有する下引き層用塗布液の塗膜を形成する工程、および、該塗膜を加熱乾燥させることによって前記下引き層を形成する工程を有し、
該アゾール化合物が、下記式（１）で示される化合物、下記式（２）で示される化合物、下記式（３）で示される化合物および下記式（４）で示される化合物からなる群より選択される少なくとも１種のアゾール化合物であり、
上記Ａおよび上記Ｂが、上記式（５）を満たすことを特徴とする電子写真感光体の製造方法に関する。